【事件の表示】
　平成　４年特許願第２５７３０３号「パチンコ機用制御基板収納ボックス」拒絶査定不服審判事件〔平成６年３月２２日出願公開、特開平６−７９０３２〕について、次のとおり審決する。
【結　論】
　本件審判の請求は、成り立たない。
【理　由】
１．手続の経緯・本願発明
　本願は、平成４年８月３１日の出願であって、本願の請求項１及び２に係る発明は、平成１１年８月２７日付けの手続補正書、平成１３年３月２３日付けの手続補正書、平成１３年６月６日付けの手続補正書、平成１３年６月２８日付けの手続補正書、及び平成１６年１月２７日付けの手続補正書により補正された明細書又は図面の記載からみて、その特許請求の範囲の請求項１及び２に記載されたとおりのものであると認められるところ、その請求項１に係る発明（以下、「本願発明」という）は次のとおりのものである。
　
「【請求項１】　内部を透視可能な合成樹脂製のベース体及び蓋体を有するパチンコ機用制御基板収納ボックスであって、電子部品群が設置された制御基板のベース体側に対して導電性のシールド板を重ね合せるとともに、前記制御基板と前記シールド板とをビスによって結合してアースした状態で収納し、前記シールド板には、前記制御基板の各部を透視可能とする多数個の透孔を設けたことを特徴とするパチンコ機用制御基板収納ボックス。」
　
２．先願明細書記載の発明
　これに対して、当審における拒絶の理由で引用された、本願の出願の日前の特許出願であって、その出願後に出願公開がされた特願平３−１２８７０５号（特開平５−１０３８５６号）の願書に最初に添付された明細書又は図面（以下、「先願明細書」という）には、電気制御装置を分解して示す斜視図である図６、前記電気制御装置の各構成部材を個々に示す正面図である図７、及び、前記電気制御装置の組立て状態を示す側断面図又は平断面図である図１２乃至図１７とともに、
　
（１）「この発明は、パチンコ遊技機用の電気制御装置に関し」（【産業上の利用分野】の欄）　
（２）「この装置は、ゲーム内容全体の正常制御をなすための重要手段であるだけに、静電気に対する防護対策を図り、しかもケース内部の回路基盤を外側から透視確認できることも望まれている。」（段落【０００４】）
（３）「ケース体に対して静電気吸収用の遮蔽防護体および回路基盤を順次収容セットすると共に、カバー体を組付けることにより、電気制御装置全体が単一で取扱い得る箱型ユニットに構成される。　（中略）　遮蔽防護体およびカバー体の導電性枠本体により、外部から回路基盤に侵入しようとする静電気を吸収して回路基盤に対する静電気防護対策がなされ、またカバー体の透視面により外側から回路基盤が透視できる。」（【作用】の欄）
（４）「装置の基本的構成として、図６および図７に例示されるように、機構盤４側に対して開閉および着脱が可能に装着されるケース体Ａと、このケース体Ａ内に敷設状態で収容される静電気防止対策用の遮蔽防護体Ｂと、この遮蔽防護体Ｂ内に収容保護される回路基盤Ｃと、ケース体Ａに対して着脱可能に組付けられて、回路基盤Ｃを覆蓋保護して静電気防止対策を図ると共に、外部から透視可能にしたカバー体Ｄとからなり、これらがビスを省略した係止例で組付けられて、全体が単一で取扱い得る箱型ユニットに構成されている。」（段落【００１４】）
（５）「このケース体Ａは、装置自体の開閉扉状基体として透明合成樹脂材(例えばポリカーボネート材)により箱蓋形に成形されている。そして前記遮蔽防護体Ｂ、回路基盤Ｃおよびカバー体Ｄに係る各組付用手段として多数個の放熱孔１２を開口した底板部１１の内側各部には、軸状の支持座１３,１３および係止フック１４,１４が形成され」（段落【００１６】）
（６）「この遮蔽防護体Ｂは、外部から回路基盤Ｃに侵入しようとする静電気(空電ノイズともいう)を吸収して回路基盤Ｃを帯電防護するものとして、導電性のある薄肉金属材(例えばブリキ素板またはトタン素板)により、略方形蓋皿状に成形されている。そしてケース体Ａ内に敷設状態とされる底板部３１には、中央両側の支持座１３に対する逃し孔３２が形成されると共に、回路基盤Ｃの裏面パターンを透視可能にする多数個の透視孔３３が配設されている。また底板部３１の各隅部には、回路基盤Ｃおよびカバー体Ｄに対する導電縁部(便宜上アース接面部ともいう)３４,３４が形成され」（段落【００１８】）
（７）「この回路基盤Ｃは、前記遊技機側の各種電気的部品類に係る制御回路盤として、所定の方形サイズに成形された本体(例えばガラス繊維材を混在したエポキシ樹脂盤)３７に、所要の回路パターンが形成されて、各種の回路部品３８,３８および電源(例えばＡＣ２４Ｖ)や電気的部品類および中継基盤１０に対するコネクター３９,３９等が夫々配置されている。そして本体３７の各隅部の表裏面に半田による導電縁部(アース接面部ともいう)４０,４０が形成されている。なお全てのアース接面部４０,４０は、互いに導電接続され、また各回路部品のアース(接地)側にも接続されている。」（段落【００１９】）
（８）「このカバー体Ｄでは、前記遮蔽防護体Ｂと同様に薄肉金属材により成形された静電気吸収用の枠本体４１に、回路基盤Ｃの透視面として、ケース体Ａと同様な透明合成樹脂材により方形に成形された透視板５０が、予め装着固定されている。すなわち枠本体４１は、回路基盤Ｃの各コネクター３９,３９を除いた全回路部品３８,３８を覆蓋してケース体Ａと整合し得る箱枠形に成形されている。そして上端両側には回路基盤Ｃの表面上部のアース接面部４０,４０に当接し得る導電縁部(アース接面部ともいう)４２,４２が形成され」（段落【００２０】）
（９）「電気制御装置では、前記遮蔽防護体Ｂおよびカバー体Ｄの枠本体４１で吸収した静電気の除去について、従来から採用されている方式の一例として、最終的にはゲームホール内の電源部からグランド(接地)に逃すことを前提としている。ちなみに参考までに図１８に略示されるように、遮蔽防護体Ｂに吸収された静電気(空電ノイズ)は、図中矢印の経路で回路基盤Ｃの回路内のダイオードを通過し、トランスのリークを利用して最終的に電源部(ＡＣ１００Ｖ)の接地側へ吸収されるようになっている。但し現実の場合において、静電気は、グランド側に至る長い回路過程で、拡散(減衰)されることもある。なおこれに代えて遮蔽防護体Ｂおよび枠本体４１の何れかにアース線を接続してもよい。」（段落【００２２】）
（１０）「電気制御装置は、開閉扉状基体であるケース体Ａに対して、遮蔽防護体Ｂ、回路基盤Ｃおよびカバー体Ｄが、ビスを不要とした簡単な手順により組付けられて、図１および図２に略示されるような箱型ユニットに構成され、そして互いのアース接面部３４,４０,４２同士が当接保持されている。」（段落【００２７】）
（１１）「電気制御装置において、ケース体Ａに対して回路基盤Ｃおよびカバー体Ｄをより一層強化結合したい場合には、一例として遮蔽防護体Ｂ、回路基盤Ｃおよびカバー体Ｄの夫々における上部のアース接面部３４,４０,４２に小孔を設け、これらの小孔にビスを挿入してケース体Ａの上部の支持座１３にねじ込むようにしてもよい。」（段落【００２８】）
（１２）「電気制御装置では、前述した箱型ユニット状態および実施状態の何れにおいても、内部の回路基盤Ｃについては、透明であるケース体Ａの裏側から遮蔽防護体Ｂの透視孔３３,３３を利用して裏面パターンが透視でき、またカバー体Ｄの表側から透視板５０を利用して回路部品(ハード部分)が透視できるので、基盤Ｃの両面の点検確認が容易となる。」（段落【００３１】）
（１３）「更にカバー体Ｄを、導電性材料を配合した透明樹脂材により成形したり、また透明合成樹脂材により成形したカバー体Ｄの表面または裏面に、透明度を低下させることのない帯電防止塗料を塗布することにより、該カバー体Ｄに帯電防止機能を付加するようにしてもよい。」（段落【００３５】）
（１４）「夫々の別例カバー体Ｄについても、上部のアース接面部４２,４２にビス用の小孔を設けるようにしてもよい。」（段落【００３６】）
（１５）「ケース体内に敷設状に収容された遮蔽防護体と、回路基盤を覆蓋するカバー体の枠本体とにより、外部から回路基盤に侵入しようとする静電気を効果的に吸収して最終的にはグランド側へ逃すもとで、回路基盤を静電気から遮蔽保護することができる。そして前記カバー体に形成した透視面の外方から内部の回路基盤を透視確認することができるものである。」（段落【００３８】）
　
と記載されており、また、
（１６）前記回路基盤Ｃの前記ケース体Ａ側に前記遮蔽防護体Ｂは重ね合せられている（図６並びに図１２乃至図１７参照）。
　そして、
（ｉ）前記「カバー体Ｄ」については、「枠本体４１」に「透視板５０」を装着固定すること（前記摘記（８）参照）に代えて、「透明合成樹脂材により成形」する構成が記載されており（前記摘記（１３）参照）、また、
（ｉｉ）前記「遮蔽防護体Ｂ」及び「回路基盤Ｃ」の組付けについては、「ビス」を用いずに組付けること（前記摘記（４）及び（１０）参照）に代えて、「ビス」を用いて組付ける構成が記載されている（前記摘記（１１）及び（１４）参照）から、
それらの構成を採用した場合について、前記（１）〜（１６）に挙げた記載事項を総合すると、先願明細書には、
　
「内部が透視できる透明合成樹脂材により成形されたケース体及びカバー体を有するパチンコ遊技機用の箱型ユニットであって、各種の回路部品及びコネクターが配置された回路基盤のケース体側に対して導電性の遮蔽防護体を重ね合せるとともに、前記回路基盤と前記遮蔽防護体とを前記回路基盤の接地されたアース接面部と前記遮蔽防護体のアース接面部とにそれぞれ設けた小孔にビスを挿入することによって結合して前記ケース体内に収容し、前記遮蔽防護体には、前記回路基盤の裏面パターンを透視可能にする多数個の透視孔を配設したことを特徴とするパチンコ遊技機用の箱型ユニット。」
　
という発明（以下、「先願明細書記載の発明」という）が記載されている。
　
３．対比・判断
　本願発明と先願明細書記載の発明を対比する。
　
（イ）先願明細書記載の発明における「内部が透視できる透明合成樹脂材により成形されたケース体及びカバー体」は、本願発明における「内部を透視可能な合成樹脂製のベース体及び蓋体」に相当する。
（ロ）先願明細書記載の発明における「導電性の遮蔽防護体」は、静電気を吸収して回路基盤を帯電防護するものであって、例えばブリキ素板又はトタン素板よりなるものである（前記摘記（６）参照）から、本願発明における「導電性のシールド板」に相当する。
（ハ）先願明細書記載の発明における「回路基盤」は、遊技機側の各種電気的部品類に係る制御回路盤として設けられているものである（前記摘記（７）参照）。また、当該「回路基盤」に配置された「各種の回路部品」（３８）及び「コネクター」（３９）は、本願発明における「電子部品」に相当するものであって、かつ、図６及び図７の記載からみて群をなして配置されている。したがって、先願明細書記載の発明における「各種の回路部品及びコネクターが配置された回路基盤」は、本願発明おける「電子部品群が設置された制御基板」に相当する。
（ニ）先願明細書記載の発明における回路基盤と遮蔽防護体は、各々のアース接面部に設けた小孔にビスを挿入することによって結合されているから、先願明細書記載の発明においても、回路基盤と遮蔽防護体とを、「ビスによって結合して」いる。
　また、先願明細書記載の発明における回路基盤のアース接面部は接地されているから、上記のように回路基盤のアース接面部と遮蔽防護体のアース接面部とを「ビスによって結合し」た場合、前記回路基盤とともに前記遮蔽防護体が「アースした状態」になることは明らかである。
　そして、先願明細書記載の発明における回路基盤及び遮蔽防護体は、箱型ユニットのケース体内に収容されているから、当該回路基盤及び遮蔽防護体は箱型ユニットに「収納」されていると認められる。
　したがって、先願明細書記載の発明における「前記回路基盤と前記遮蔽防護体とを前記回路基盤の接地されたアース接面部と前記遮蔽防護体のアース接面部とにそれぞれ設けた小孔にビスを挿入することによって結合して前記ケース体内に収容し」ということは、本願発明における「前記制御基板と前記シールド板とをビスによって結合してアースした状態で収納し」ということに相当する。
（ホ）先願明細書記載の発明における遮蔽防護体に配設された「回路基盤の裏面パターンを透視可能にする多数個の透視孔」は、図６及び図７の記載からみて回路基盤の裏面の各部を透視可能なように配設されているから、先願明細書記載の発明において「回路基盤の裏面パターンを透視可能にする多数個の透視孔を配設したこと」は、本願発明において「制御基板の各部を透視可能とする多数個の透孔を設けたこと」に相当する。
（ヘ）先願明細書記載の発明における「パチンコ遊技機」は、本願発明における「パチンコ機」に相当し、また、先願明細書記載の発明における「箱型ユニット」は、前記（ニ）で述べたように「回路基盤」すなわち「制御基板」を収納しているから、先願明細書記載の発明における「パチンコ遊技機用の箱型ユニット」は、本願発明における「パチンコ機用制御基板収納ボックス」に相当する。
　
　そうすると、両者は、
　
「内部を透視可能な合成樹脂製のベース体及び蓋体を有するパチンコ機用制御基板収納ボックスであって、電子部品群が設置された制御基板のベース体側に対して導電性のシールド板を重ね合せるとともに、前記制御基板と前記シールド板とをビスによって結合してアースした状態で収納し、前記シールド板には、前記制御基板の各部を透視可能とする多数個の透孔を設けたことを特徴とするパチンコ機用制御基板収納ボックス。」
　
という点で一致し、何ら相違するところはない。
　したがって、本願発明は、先願明細書記載の発明と同一であると認められる。
　
　なお、出願人は、平成１６年１月２７日付けで提出した意見書において、
（ａ）先願明細書に記載のアース接面部は、カバー体の本体から露出したものであるため箱型ユニット内に収納されておらず、また、
（ｂ）先願明細書に記載のビスは、アースの役割を担っていないから、
先願明細書記載の発明は「前記制御基板と前記シールド板とをビスによって結合してアースした状態で収納し」という構成要件を備えておらず、その点で本願発明と相違する旨を主張している（同意見書の（６）本願発明と先願発明との対比の欄参照）。
　しかしながら、前記（ａ）については、本願の明細書の「制御基板収納ボックス７の蓋体９には制御基板１８の寸法より
縮小された寸法
蓋体９の外部に露出され
要部が蓋体９によって覆蓋され
　また、前記（ｂ）については、先願明細書記載の発明は、前記（ニ）において述べたように回路基盤のアース接面部と遮蔽防護体のアース接面部とをビスによって結合することで前記回路基盤と前記遮蔽防護体とをアースした状態にするものであるが、当該ビスとしては金属製のものが通常用いられるものと認められ、かつ、当該ビスが前記回路基盤のアース接面部と前記遮蔽防護体のアース接面部とに設けられた小孔に挿入されることによって、各々のアース接面部と接触することは明らかであるから、先願明細書記載の発明におけるビスがアースの役割も担っていることは当業者にとって自明の事項である。
　したがって、出願人の前記主張を採用することはできない。
　
４．むすび
　以上のとおり、本願の請求項１に係る発明は、その出願の日前の特許出願であって、その出願後に出願公開がされた前記の特許出願の願書に最初に添付された明細書又は図面に記載された発明と同一であり、しかも、この出願の発明者がその出願前の特許出願に係る上記の発明をした者と同一ではなく、またこの出願の時において、その出願人が上記特許出願の出願人と同一でもないので、特許法第２９条の２第１項の規定により、特許を受けることができない。
　よって、結論のとおり審決する。